(57)【要約】      （修正有）【課題】保持器の円周方向の膨張収縮に対して真円度を維持し、異音の発生を抑制する分割型保持器を提供する。【解決手段】内輪と外輪間に配置された転動体を保持する複数のポケットが設けられたセグメント２を複数連結するとともに、前記セグメント両端に設けた連結部３によって環状に連結した保持器であって、前記連結部３は、前記保持器の円周方向のみのスライドを許容するように連結する。前記一対の連結部は、前記セグメント端面に設けられた凸状連結部３ｂと凹状連結部３ａであって、前記凸状連結部３ｂに設けられた凹溝状ガイド３ｄと、前記凹状連結部３ａに設けられた凸状レール３ｃとが嵌合されている。凸条レール３ｃの摺動面には玉よりなる転動体５が埋め込まれているため連結部３のスライドによる異音を抑制出来る。【選択図】図２
2014029174.tif 000002
【特許請求の範囲】
【請求項１】
内輪と外輪間に配置された転動体を保持する複数のポケットが設けられたセグメントを複数連結するとともに、前記セグメント両端に設けた連結部によって環状に連結した保持器であって、前記連結部は、前記保持器の円周方向のみのスライドを許容するように連結していることを特徴とする分割型保持器。
【請求項２】
前記一対の連結部は、前記セグメント端面に設けられた凸部と凹部であって、前記凸部に設けられた凹溝状ガイドと、前記凹部に設けられた凸状レールとが嵌合されていることを特徴とする請求項１記載の分割型保持器。
【請求項３】
前記凹溝状ガイドと前記凸状レールの摺動面の一方に転動体を組込んだことを特徴とする請求項１または請求項２記載の分割型保持器。
【発明の詳細な説明】
【技術分野】
【０００１】
本発明は、ＣＴスキャナー、ロボット、および工作機械用の大径、かつ、薄肉の転がり軸受の分割型保持器に関する。
【背景技術】
【０００２】
従来より、ＣＴスキャナーなどに用いる大径薄肉の転がり軸受においては、一体型保持器の課題である真円度の悪化と、保持器の製造金型の大型化を避けるため、帯状のセグメントを円環状に複数配置した分割型保持器を採用している。例えば、図５に示す従来の分割型保持器は、セグメント１１の長手方向端面の一部から延長して延びる突出部１２と、突出部１２から連続してセグメント１１の幅方向に延びる係合部６３とを有する連結部１４によって、隣接する他のセグメント１１の連結部１４を連結してセグメント１１を円環状に接続し、保持器の分離を防止している（特許文献１参照）。
【先行技術文献】
【特許文献】
【０００３】
【特許文献１】特開２０００−６５０６７号公報
【発明の概要】
【発明が解決しようとする課題】
【０００４】
しかしながら、特許文献１においては、熱や湿度の変動環境下などにおける保持器の収縮膨張に際してはセグメント幅方向にしか寸法変化の逃げが無いため、保持器の真円度が悪化する虞があった。また、連結部が嵌合構造を採用しているため、保持器の膨張収縮の際には、セグメント同士の摩擦により異音が発生する可能性があった。
【０００５】
本発明は、このような問題点に鑑みてなされたもので、その目的とするところは、保持器の膨張収縮に対して真円度を維持して異音の発生を抑制する分割型保持器を提供することにある。
【課題を解決するための手段】
【０００６】
本発明の分割型保持器は、内輪と外輪間に配置された転動体を保持する複数のポケットが設けられたセグメントを複数連結するとともに、前記セグメント両端に設けた連結部によって環状に連結した保持器であって、前記連結部は、前記保持器の円周方向のみのスライドを許容するように連結していることを特徴とする。
【０００７】
また、第二の発明は、前記一対の連結部は、前記セグメント端面に設けられた凸部と凹部であって、前記凸部に設けられた凹溝状ガイドと、前記凹部に設けられた凸状レールとが嵌合されていることを特徴とする。
【０００８】
また、第三の発明は、前記凹溝状ガイドと前記凸状レールの摺動面の一方に転動体を組込んだことを特徴とする。
【発明の効果】
【０００９】
本発明によれば、保持器の膨張収縮に対して真円度を維持し異音の発生を抑制する分割型保持器を提供することができる。
【図面の簡単な説明】
【００１０】
【図１】本発明の分割型保持器を示す図である。
【図２】本発明の第一実施形態の分割型保持器のセグメントの要部を示す図である。
【図３】本発明の第二実施形態の分割型保持器のセグメントの要部を示す図である。
【図４】本発明の第一実施形態のセグメントの摺動面の断面図である。
【図５】従来の分割型保持器のセグメントの要部を示す図である。
【発明を実施するための形態】
【００１１】
図２は本発明の第一の実施形態を示す図である。図１及び図２に示すように、複数の帯状セグメント２の保持器円周方向両端に設けられた連結部３を互いに連結して円環状の分割型保持器１が形成される。セグメント２には、長手方向に所定間隔でボールを保持する複数のポケット４が設けられている。前記セグメント２の一端の連結部３は、セグメント中央部に凹状連結部３ａが形成され、セグメント２の他端の連結部３は、セグメント中央部が突出した凸状連結部３ｂが形成されている。これら凹状連結部３ａと凸状連結部３ｂが保持器円周方向のみのスライドを許容して一対で嵌合されている。
【００１２】
前記凹状連結部３ａの内周面には、保持器円周方向に沿って凸状レール３ｃが設けられ、前記凸状連結部３ｂの外周面には、保持器円周方向に沿って凹溝状のガイド３ｄが設けられている。これら凸状レール３ｃと凹溝状のガイド３ｄが互いに嵌合し、連結部３のスライドのみを許容している。
【００１３】
また、前記凸状レール３ｃの摺動面には玉よりなる転動体５が埋め込まれている。摺動面に転動体５を介在させることにより、連結部３のスライドによる異音を抑制でき、円滑なスライド動作を与えることが出来る。
【００１４】
そして、図２、図４の様に、前記凹状連結部３ａの凸状レール３ｃの摺動面３ｋには、玉よりなる転動体５が埋め込まれている。転動体５は前記摺動面３ｋに設けられたポケット３ｇに挿入され、前記ポケット３ｇの円弧断面形状によって抜け止めされている。一旦転動体５をポケット３ｇの掛かり代３ｈを乗り越え、ポケット３ｇ内に挿入すると、転動体５が脱落せずポケット内に保持できる形状になっている。転動体５の一部は摺動面３ｋから突出しているため、このように摺動面３ｋに転動体５を介在させることにより、連結部３のスライドによる異音を抑制でき、円滑なスライド動作を与えることが出来る。ここで用いられる転動体の材質は、特に限定されるものではなく、金属であっても樹脂であってもセグメント２のスライドに寄与するものであれば何でも良い。
【００１５】
図３は本発明の第二の実施形態を示す図である。連結部を除きその他の部位は第一の実施形態と同じであるので説明を省略する。本実施形態での連結部３は前記セグメント２の一端にセグメント中央部に凹穴状連結部３ｅが形成され、セグメント２の他端の連結部３は、セグメント中央部が突出した凸状連結部３ｆが形成されている。これら凹穴状連結部３ｅと凸状連結部３ｆが保持器円周方向のみのスライドを許容して一対で嵌合されている。
【００１６】
そして、図３様に、前記凸状連結部３ｆには円筒ころよりなる転動体５が埋め込まれている。転動体５の一部は摺動面から突出しているため、このように摺動面に転動体５を介在させることにより、連結部３のスライドによる異音を抑制でき、円滑なスライド動作を与えることが出来る。円筒ころの転動体５の保持も、第一の実施形態と同様に円弧断面のポケットにより抜け止め処理が施されているので、詳細な説明は省略する。ここで用いられる円筒ころの転動体の材質も、特に限定されるものではなく、金属であっても樹脂であってもセグメント２のスライドに寄与するものであれば何でも良い。
【００１７】
なお、本発明は、本実施の形態のみに限定されるものではなく、本発明の主旨を逸脱しない範囲で種々の変更が可能であり、前記凸状レールが凸状連結部に設けられ、凹溝状のガイドが凹状連結部に設けられていてもよい。また、セグメントのスライドを円滑に行わせる転動体を凸状レール、凹溝状のガイドのどちらに設けても良いことは言うまでも無い。
【符号の説明】
【００１８】
１・・・保持器
２・・・セグメント
３・・・連結部
４・・・ポケット
５・・・転動体
【図１】
2014029174.tif 000003
【図２】
2014029174.tif 000004
【図３】
2014029174.tif 000005
【図４】
2014029174.tif 000006
【図５】
2014029174.tif 000007